(57)【要約】【課題】一般公衆網からのメッセージ通知を適切に情報受信端末に伝達できるようにする通信アダプタ、情報通知プログラム及び記録媒体を提供する。【解決手段】本発明の通信アダプタは、収容する情報受信端末と、第１の通信網回線及び第２の通信網回線との間に介在し、所定の接続処理が必要な情報信号を情報受信端末に通知するものであって、情報信号の到来前に第１の通信網回線から受け取った無鳴動信号を検出し、その時の通信網回線の接続状態を判定する回線接続状態判定手段と、回線接続判定手段が第２の通信網回線と接続していると判定した場合、第１の通信網回線側と所定の接続処理を行なうと共に、所定の接続処理の下、到来した情報信号を取得し、所定形態で保持する情報保持手段と、所定形態の情報信号を再度復元し、その復元した情報信号を第２の通信網回線側を介して情報受信端末に通知する情報通知手段とを備える。【選択図】      図１
2005268939.tif 000002
【特許請求の範囲】
【請求項１】
収容する情報受信端末と、第１の通信網回線及び上記第１の通信網回線とは異なる第２の通信網回線との間に介在し、上記第１の通信網回線から上記情報受信端末に情報通知するのに所定の接続処理が必要な情報信号を、上記情報受信端末に通知する通信アダプタ装置であって、
上記情報信号の到来前に上記第１の通信網回線から受け取った無鳴動信号を検出し、その検出時における通信網回線の接続状態を判定する回線接続状態判定手段と、
上記回線接続判定手段が上記第２の通信網回線と接続していると判定した場合に、上記第１の通信網回線側に対する所定の接続処理を行なうと共に、所定の接続処理の下、上記第１の通信網回線から到来した上記情報信号を取得し、所定形態で保持する情報保持手段と、
上記情報保持手段が取得した上記所定形態の情報信号を再度復元し、その復元した上記情報信号を上記第２の通信網回線側を介して上記情報受信端末に通知する情報通知手段と
を備えることを特徴とする通信アダプタ装置。
【請求項２】
上記情報保持手段が上記情報信号を復調処理する復調部であり、上記情報通知手段が上記復調部により復調された復調信号を変調処理する変調部であることを特徴とする請求項１に記載の通信アダプタ装置。
【請求項３】
上記情報保持手段が上記情報信号を音声符号化する音声符号化部であり、上記情報通知手段が上記音声符号化部により音声符号化された音声符号化データを復号する音声復号部であることを特徴とする請求項１に記載の通信アダプタ装置。
【請求項４】
上記情報保持手段は、上記第１の通信網回線から到来した上記情報信号を判定して、上記音声符号化部が上記情報信号を音声符号化する音声符号化期間と、上記音声復号部が上記音声符号化データを復号する復号期間とを指示する符号化・復号期間指示部を有することを特徴とする請求項３に記載の通信アダプタ装置。
【請求項５】
上記符号化・復号期間指示部が、上記第１の通信網回線から到来した上記情報信号の信号レベル変化に基づいて上記情報信号の符号化・復号期間を指示することを特徴とする請求項４に記載の通信アダプタ装置。
【請求項６】
上記符号化・復号期間指示部が、上記第１の通信網回線から到来した上記情報信号の所定周波数成分変化に基づいて上記情報信号の符号化・復号期間を指示することを特徴とする請求項４に記載の通信アダプタ装置。
【請求項７】
上記符号化・復号期間指示部が、上記第１の通信網回線から到来した上記情報信号を復調処理し、この上記情報信号の復調処理の開始及び停止に基づいて上記情報信号の符号化・復号期間を指示することを特徴とする請求項４に記載の通信アダプタ装置。
【請求項８】
収容する情報受信端末と、第１の通信網回線及び上記第１の通信網回線とは異なる第２の通信網回線との間に介在し、上記第１の通信網回線から上記情報受信端末に情報通知するのに所定の接続処理が必要な情報信号を、上記情報受信端末に通知する通信装置を、
上記情報信号の到来前に上記第１の通信網回線から受け取った無鳴動信号を検出し、その検出時における通信網回線の接続状態を判定する回線接続状態判定手段、
上記回線接続判定手段が上記第２の通信網回線と接続していると判定した場合に、上記第１の通信網回線側に対する所定の接続処理を行なうと共に、所定の接続処理の下、上記第１の通信網回線から到来した上記情報信号を取得し、所定形態で保持する情報保持手段、
上記情報保持手段が取得した上記所定形態の情報信号を再度復元し、その復元した上記情報信号を上記第２の通信網回線側を介して上記情報受信端末に通知する情報通知手段
として機能させることを特徴とする情報通知プログラム。
【請求項９】
上記情報保持手段が上記情報信号を復調処理する復調部として、上記情報通知手段が上記復調部により復調された復調信号を変調処理する変調部として、上記通信装置を機能させることを特徴とする請求項８に記載の情報通知プログラム。
【請求項１０】
上記情報保持手段が上記情報信号を音声符号化する音声符号化部として、上記情報通知手段が上記音声符号化部により音声符号化された音声符号化データを復号する音声復号部として、上記通信装置に機能させることを特徴とする請求項８に記載の情報通知プログラム。
【請求項１１】
上記情報保持手段が、上記第１の通信網回線から到来した上記情報信号を判定して、上記音声符号化部が上記情報信号を音声符号化する音声符号化期間と、上記音声復号部が上記音声符号化データを復号する復号期間とを指示する符号化・復号期間指示部として、上記通信装置に機能させることを特徴とする請求項１０に記載の情報通知プログラム。
【請求項１２】
上記符号化・復号期間指示部が、上記第１の通信網回線から到来した上記情報信号の信号レベル変化に基づいて上記情報信号の符号化・復号期間を指示することを特徴とする請求項１１に記載の情報通知プログラム。
【請求項１３】
上記符号化・復号期間指示部が、上記第１の通信網回線から到来した上記情報信号の所定周波数成分変化に基づいて上記情報信号の符号化・復号期間を指示することを特徴とする請求項１１に記載の情報通知プログラム。
【請求項１４】
上記符号化・復号期間指示部が、上記第１の通信網回線から到来した上記情報信号を復調処理し、この上記情報信号の復調処理の開始及び停止に基づいて上記情報信号の符号化・復号期間を指示することを特徴とする請求項１１に記載の情報通信プログラム。
【請求項１５】
収容する情報受信端末と、第１の通信網回線及び上記第１の通信網回線とは異なる第２の通信網回線との間に介在し、上記第１の通信網回線から上記情報受信端末に情報通知するのに所定の接続処理が必要な情報信号を、上記情報受信端末に通知する通信装置に実現される請求項８〜１４のいずれかに記載の情報通知プログラムを記録したコンピュータに読み取り可能な記録媒体。
【発明の詳細な説明】
【技術分野】
【０００１】
本発明は、通信アダプタ装置、情報通知プログラム及び情報通知プログラムを記録したコンピュータに読み取り可能な記録媒体に関し、例えば、複数の異種網と、情報通信端末との間に介在する通信アダプタ装置、通信装置に実現されるプログラム及び記録媒体に適用し得る。
【背景技術】
【０００２】
昨今、例えばＩＰ（Ｉｎｔｅｒｎｅｔ  Ｐｒｏｔｏｃｏｌ）通信網を用いたテレフォニーシステムとして、ＶｏＩＰ（Ｖｏｉｃｅ  Ｏｖｅｒ  ＩＰ）通信が注目されている。
【０００３】
このＶｏＩＰ通信は、従来の電話線を用いた音声通話、ＦＡＸ通信、モデム通信等をしていた情報をパケット化し、ＩＰ通信網を用いて中継することで、通信システムの統合とコストダウンを狙ったものである。
【０００４】
ＶｏＩＰ機器を導入するにあたって、従来の電話システムにＶｏＩＰ機器を組み込むことで運用の移行をスムーズにする必要がある。このとき、ナンバーディスプレイサービスやキャッチホンディスプレイサービス等の各種サービスを一般公衆網側と契約している場合、ＶｏＩＰ機器導入後も導入前と同様に、各種サービスを利用できることが望まれている。
【０００５】
ここで、一般公衆網側が提供するサービスの一例としてナンバーディスプレイサービスの接続動作説明を非特許文献１に示す。なお、ナンバーディスプレイサービスは、契約者回線に着信があった場合、交換機が、呼出信号送出前に発信電話番号を含むナンバーディスプレイ情報を契約者の情報受信端末に送出し、発信電話番号を表示させるサービスである。
【０００６】
ナンバーディスプレイサービスの接続処理は、交換機が、ナンバーディスプレイ情報を取得すると、極性反転後、無鳴動信号である情報受信端末起動信号（ＣＡＲ）を送出する。このＣＡＲを検出した情報受信端末は、一次応答信号を送出し直流ループを閉成する。
【０００７】
一次応答信号を受信した交換機は取得しているナンバーディスプレイ情報をモデム信号として情報受信端末に送出し、ナンバーディスプレイ情報を受信した情報受信端末は発信電話番号を表示する。また、情報受信端末は、ナンバーディスプレイ情報を受信すると、受信完了信号を交換機に送出し、直流ループ断とする。
【０００８】
その後、交換機から呼出信号が情報受信端末に送出され、情報受信端末は、リング鳴動し、二次応答信号の送出により通話が開始する。
【０００９】
以上は、ナンバーディスプレイサービスの接続処理であり、交換機と情報受信端末との接続動作のタイミングは予め設定されている。また、上記の接続処理は、ナンバーディスプレイサービスに限定されず、例えばモデムダイヤルインサービスやＬモード（登録商標）サービスなども上記同様の接続処理により行なわれる。
【００１０】
また、図２は、情報受信端末２に接続する従来の一般的な通信アダプタ装置の簡単な構成図を示す、図２に示すように、従来の通信アダプタ装置１は、ＩＰ通信網３と一般公衆網４と接続可能である。
【００１１】
通信アダプタ装置１が一般公衆網４と接続しているのは、一般公衆網４から着信があった場合や、ＩＰ通信網３では接続できない通話をする場合（例えば、「１１０」等のように電話番号の最初の番号が「１」である通話）などに一般公衆網４を使用するためである。
【００１２】
このように、通信アダプタ装置１は、ＩＰ通信網３と一般公衆網４と接続可能であり、これらの通信網を切り替えるためのスイッチ部１１を備え、スイッチ部１１を切り替えることで、それぞれの通信回線の使用を使い分けることができる。
【００１３】
そして、通信アダプタ装置１を介して、情報受信端末２と一般公衆網４との間で情報通信する場合、スイッチ部１１が一般公衆網４側の経路に正しく切り替えられていれば、一般公衆網４側の経路と電気的に直結状態になるため、一般公衆網４からの情報を電話機２に伝えることができる。
【非特許文献１】日本電信電話株式会社，“電話網における情報通知サービスのインターフェース”，[Ｏｎ  ｌｉｎｅ]，１９９７年８月，[平成１６年１月１６日検索]，インターネット〈ＵＲＬ：ｈｔｔｐ：／／ｗｗｗ．ｎｔｔ−ｅａｓｔ．ｃｏ．ｊｐ／ｇｉｓａｎｓｈｉ／ａｎａｌｏｇ／ｅｄｉｔ５ｊ，ｐｄｆ〉
【発明の開示】
【発明が解決しようとする課題】
【００１４】
しかしながら、従来の通信アダプタ装置１のスイッチ部１１は、いずれか一方の通信網から着信があった場合に、その一方の通信網側への切り替えが適切に行なえず、一方の通信網側からの着信を情報受信端末２に伝えることができないという場合がある。
【００１５】
例えば、契約者がＶｏＩＰ通話中である場合、一般公衆網４から着信があると、ＶｏＩＰ通信のリアルタイム性を保持するために、スイッチ部１１は、ＩＰ通信網３側の経路接続を維持し、一般公衆網３側の経路への接続切り替えが行なわれない。従って、一般公衆網４側の経路との電気的な接続が行なわれず、一般公衆網４から到来した情報を適切に情報受信端末２に伝えることができない場合がある。
【００１６】
また例えば、契約者が使用する通信アダプタ装置１の性能によっては、スイッチ部１１の切り替え動作タイミングが、各サービスに設定されている接続動作タイミングと一致せず、通信網側との接続処理が適切に行なわれず、情報受信端末２への情報伝達ができない場合もある。
【００１７】
このように、一般公衆網４から着信があった場合、スイッチ部１１が適切に切り替え動作できず着信を伝えることができないため、通信アダプタ装置１を導入した契約者は、一般公衆網４側と契約した今までの各種サービスの提供を引き続き受けることができなかった。
【００１８】
また、従来の通信アダプタ装置１は、例えばＶｏＩＰ通話中に一般公衆網４から各種サービスに係る着信があった場合、一般公衆網４側での発信電話番号とＩＰ通信網３側での発信電話番号との形式が異なることから、ＶｏＩＰ通話中に発信電話番号を情報受信端末２に表示させる割り込み制御ができないという問題もある。
【００１９】
そのため、上記課題を解決するために、異なる通信網と接続可能なものであって、一方の通信網から着信があった場合に、一方の通信網と適切な接続処理をすることができ、かつ、他方の通信網の形式に応じた情報を情報受信端末に伝えることができる通信アダプタ装置、情報通知プログラム及び情報通知プログラムを記録したコンピュータに読み取り可能な記録媒体が求められている。
【課題を解決するための手段】
【００２０】
かかる課題を解決するために、第1の本発明に係る通信アダプタ装置は、収容する情報受信端末と、第１の通信網回線及び第１の通信網回線とは異なる第２の通信網回線との間に介在し、第１の通信網回線から情報受信端末に情報通知するのに所定の接続処理が必要な情報信号を、情報受信端末に通知する通信アダプタ装置であって、（１）情報信号の到来前に第１の通信網回線から受け取った無鳴動信号を検出し、その検出時における通信網回線の接続状態を判定する回線接続状態判定手段と、（２）回線接続判定手段が第２の通信網回線と接続していると判定した場合に、第１の通信網回線側に対する所定の接続処理を行なうと共に、所定の接続処理の下、第１の通信網回線から到来した情報信号を取得し、所定形態で保持する情報保持手段と、（３）情報保持手段が取得した所定形態の情報信号を再度復元し、その復元した情報信号を第２の通信網回線側を介して情報受信端末に通知する情報通知手段とを備えることを特徴とする。
【００２１】
また、第２の本発明に係る情報通知プログラムは、収容する情報受信端末と、第１の通信網回線及び第１の通信網回線とは異なる第２の通信網回線との間に介在し、第１の通信網回線から情報受信端末に情報通知するのに所定の接続処理が必要な情報信号を、情報受信端末に通知する通信装置を、（１）情報信号の到来前に第１の通信網回線から受け取った無鳴動信号を検出し、その検出時における通信網回線の接続状態を判定する回線接続状態判定手段、（２）回線接続判定手段が第２の通信網回線と接続していると判定した場合に、第１の通信網回線側に対する所定の接続処理を行なうと共に、所定の接続処理の下、第１の通信網回線から到来した情報信号を取得し、所定形態で保持する情報保持手段、（３）情報保持手段が取得した所定形態の情報信号を再度復元し、その復元した情報信号を第２の通信網回線側を介して情報受信端末に通知する情報通知手段として機能させることを特徴とする。
【００２２】
さらに、第３の本発明に係る情報通知プログラムを記録したコンピュータに読み取り可能な記録媒体は、収容する情報受信端末と、第１の通信網回線及び第１の通信網回線とは異なる第２の通信網回線との間に介在し、第１の通信網回線から情報受信端末に情報通知するのに所定の接続処理が必要な情報信号を、情報受信端末に通知する通信装置に実現される第２の本発明に係る情報通知プログラムを記録したコンピュータに読み取り可能な記録媒体である。
【発明の効果】
【００２３】
本発明の通信アダプタ装置、情報通知プログラム及び情報通知プログラムを記録したコンピュータに読み取り可能な記録媒体によれば、第２の通信網回線と接続している場合に第１の通信網回線から情報信号の到来があったときでも、情報信号を一旦終端しつつ第１の通信網回線と適切な接続処理をすることができ、かつ、第２の通信網回線側から情報信号を情報受信端末に伝達ことができる。
【発明を実施するための最良の形態】
【００２４】
以下では、本発明の通信アダプタ装置を実施するための最良の実施形態について図面を参照して説明する。
【００２５】
以下で説明する各実施形態は、接続可能なＩＰ通信網及び一般公衆網と、情報受信端末との間に介在する通信アダプタ装置の適用について説明する。また、各実施形態では、情報受信端末の使用者が、ナンバーディスプレイサービスを一般公衆網側と契約している場合について説明する。
【００２６】
また、ナンバーディスプレイサービスに係る情報（以下、ナンバーディスプレイ情報という）は、ＩＴＵ−Ｔ勧告Ｖ．２３に準拠するモデム信号である。
【００２７】
なお、各実施形態では、一般公衆網側と契約し得るサービスは、これに限らず、モデムダイヤルインサービスやＬモード（登録商標）サービスやキャッチホンディスプレイサービスなど、情報送出前に、無鳴動な情報受信端末起動信号（ＣＡＲ）を送出する各種サービスに広く適用できる。
【００２８】
さらに、各実施形態で説明する通信アダプタ装置の機能は、プログラムとして通信アダプタ装置の制御手段により実現され得るものである。また、このプログラムは、コンピュータに読み取り可能な記録媒体として記録され得るものである。
【００２９】
（Ａ）第１の実施形態
まず、本発明の通信アダプタ装置の第１の実施形態について図面を参照して説明する。
【００３０】
（Ａ−１）第１の実施形態の構成
図１は、第１の実施形態に係る通信アダプタ装置の構成を示す機能ブロック図である。
【００３１】
図１に示すように、本実施形態に係る通信アダプタ装置１００は、情報受信端末２と、通信網３及び４との間に介在し、また接続する通信網としてＩＰ通信網３及び一般公衆網４に接続可能である。
【００３２】
情報受信端末２は、例えば、電話機やＦＡＸ機器などが該当し、着信があった発信電話番号を表示する表示手段を有するものである。
【００３３】
ＩＰ通信網３は、インターネットプロトコル（ＩＰ）を通信プロトコルとする通信網であり、例えば、専用網、インターネットに代表されるＩＰ公衆網、移動通信網、又は、これらを結合した網を適用できる。また、ＩＰ通信網３は、種々のＩＰ通信機器（例えば、ゲートウェイ装置、ゲートキーパ装置、サーバ装置等）を構成してなる。
【００３４】
一般公衆網４は、例えば公衆電話回線で構成された網であり、例えば交換機などを構成してなる。
【００３５】
通信アダプタ装置１００は、情報通知制御部１１０、公衆網インターフェース（ＩＦ）部１０２、ＶｏＩＰ信号処理部１０５、スイッチ部１０６、加入者インターフェース（ＩＦ）部１０７を少なくとも備える。
【００３６】
加入者ＩＦ部１０７は、情報受信端末２との間の情報送受信処理を制御するインターフェース部であり、例えば、ＳＬＩＣ（Ｓｕｂｓｃｒｉｂｅｒ  Ｌｉｎｅ  Ｉｎｔｅｒｆａｃｅ  Ｃｉｒｃｕｉｔ）制御部が該当する。また、加入者ＩＦ部１０７は、ＩＰ通信網３を利用したＶｏＩＰ通信を所定の通信方式に従って制御するＩＰ網側制御機能と、一般公衆網４を利用した通信を制御する公衆網側制御機能を有する。
【００３７】
スイッチ部１０６は、ＩＰ通信網３又は一般公衆網４を利用するときに、ＩＰ通信網３側の経路又は一般公衆網４側の経路のいずれかの経路に切り替えて、所望通信網側を利用可能にするものである。
【００３８】
ＶｏＩＰ信号処理部１０５は、ＩＰ通信網３側との間の情報送受信処理を制御するＩＰ通信制御手段である。ＶｏＩＰ信号処理部１０５は、例えば、ＳＩＰ（Ｓｅｓｓｉｏｎ  Ｉｎｉｔｉａｔｉｏｎ  Ｐｒｏｔｏｃｏｌ）等の所定の通信プロトコルに従って、情報受信端末２から受け取った音声信号を符号化し、パケット形式に変換して、ＩＰ通信網３を構成する他のＶｏＩＰ機器に与えるものであり、また、ＩＰ通信網３から受信したパケットを復号し、復号した音声信号を情報受信端末２に与えるものである。
【００３９】
公衆網ＩＦ部１０２は、一般公衆網４側との間のインターフェース部である。公衆網ＩＦ部１０２は、一般公衆網４を利用して通信する場合、スイッチ部１０６及び加入者ＩＦ部１０７を介して、情報受信端末２と一般公衆網４側との間の通信を実現させるものである。また、公衆網ＩＦ部１０２は、ＶｏＩＰ通話中に一般公衆網４からナンバーディスプレイ情報の着信があった場合、情報通知制御部１１０の制御により、一般公衆網４側との接続処理を行なうものである。
【００４０】
情報通知制御部１１０は、一般公衆網４からナンバーディスプレイ情報の着信を検出（極性反転及びＣＡＲ検出）し、ナンバーディスプレイ情報の着信を検出したときに、ＶｏＩＰ通話中であるか否かを判定するものである。
【００４１】
また、情報通知制御部１１０は、ナンバーディスプレイ情報の着信時がＶｏＩＰ通話中である場合、到来したナンバーディスプレイ情報を所定の形式で取得しつつ、一般公衆網４との接続処理を適切に行なうように公衆網ＩＦ部１０２を制御するものである。
【００４２】
これにより、ナンバーディスプレイ情報を一旦終端することができ、かつ、本来、情報受信端末２と一般公衆網４側との間でなされる接続処理タイミング（制御タイミング）を、情報受信端末２から分離させて、通信アダプタ装置１００と一般公衆網４側との間で適切に実行することができる。
【００４３】
さらに、情報通知制御部１１０は、取得したナンバーディスプレイ情報を、キャッチホンディスプレイ情報の形式に変換して、キャッチホンディスプレイの制御として、情報受信端末２に与えるものである。
【００４４】
つまり、情報通知制御部１１０が、一般公衆網４側との所定接続処理の制御をし、またＶｏＩＰ通話中に一般公衆網４から到来したナンバーディスプレイ情報を、キャッチホンディスプレイ情報に変換して情報受信端末２に対してキャッチホンディスプレイ制御をすることで、ＶｏＩＰ通話中であってもナンバーディスプレイ制御を損なうことのない割り込み制御を可能とする。
【００４５】
次に、情報通知制御部１１０の内部機能について図１を参照して詳細に説明する。
【００４６】
図１に示すように、情報通知制御部１１０は、制御部１１１、モデム復調部１１２、モデム変調部１１３を有する。
【００４７】
制御部１１１は、情報通知制御部１１０の機能を制御するものである。
【００４８】
モデム復調部１１２は、到来したモデム信号であるナンバーディスプレイ情報を受け取り、このナンバーディスプレイ情報を復調するものである。モデム復調部１１２は、ナンバーディスプレイ情報を復調した復調信号を制御部１１１に与える。モデム復調部１１２による復調方式は、モデム信号であるナンバーディスプレイ情報の変調方式に応じた方式を適用することができ、本実施形態の場合、ＩＴＵ−Ｔ勧告Ｖ．２３に準拠したモデム信号を例としているため、周波数変調方式に対する復調方式とする。
【００４９】
モデム変調部１１３は、モデム復調部１１２により復調された復調信号を受け取り、その復調信号を再度変調し、変調したナンバー情報をナンバーディスプレイ情報として、ＩＰ通信網３側の経路からスイッチ部１０６に与えるものである。これにより、変調したナンバーディスプレイ情報をＩＰ通信網３側の経路から情報受信端末２に与えることができる。
【００５０】
このように、モデム復調部１１２が到来したナンバーディスプレイ情報を復調することで、ナンバーディスプリ情報を一旦終端することができ、モデム変調部１１３が再度変調することで、到来したナンバーディスプレイ情報をそのまま利用した割り込み制御が可能となる。
【００５１】
（Ａ−２）第１の実施形態の動作
次に、本実施形態の通信アダプタ装置１００の動作について図面を参照して説明する。
【００５２】
以下では、一般公衆網４からナンバーディスプレイ情報の着信があった場合における通信アダプタ装置１００の、全体動作、通話前情報通知処理の動作、及び、通話中着信処理と情報通知処理の動作について順に説明する。
【００５３】
（Ａ−２−１）全体動作
まず、図３を参照して通信アダプタ装置１００の全体動作について説明する。
【００５４】
情報通知制御部１１０は一般公衆網４を監視しており、一般公衆網４からナンバーディスプレイサービスに係る極性反転及び情報受信端末起動信号（ＣＡＲ）が入力すると、情報通知制御部１１０により検出される（ＳＴ１）。
【００５５】
情報通知制御部１１０により極性反転及びＣＡＲ検出がなされると、情報通知制御部１１０により、ＶｏＩＰ通話中であるか否か判定される（ＳＴ２）。
【００５６】
情報通知制御部１１０によりＶｏＩＰ通話中であると判定されると、情報通知制御部１１０は、一般公衆網４側との間の接続処理を行ない、ナンバーディスプレイ情報を取り込み、通話中着信処理及び情報通知処理を行なう（ＳＴ３）。なお、このＳＴ３の通話中着信処理及び情報通知処理の詳細は後述する。
【００５７】
また、情報通知制御部１１０によりＶｏＩＰ通話中でないと判定されると、公衆網ＩＦ部１０２は、通話前情報通知処理を行なう（ＳＴ４）。なお、このＳＴ４の通知前情報通知処理の詳細は後述する。
【００５８】
（Ａ−２−２）通知前情報通知処理の動作
図３のＳＴ４における通知前情報通知処理の動作について図４を参照して説明する。
【００５９】
情報通知制御部１１０により極性反転及びＣＡＲが検出され、ＶｏＩＰ通話中でないと判断された場合（ＳＴ１及びＳＴ２）、スイッチ部１０６は、一般公衆網４側の経路に切り替えられる。
【００６０】
これにより、極性反転及びＣＡＲは、スイッチ部１０６及び加入者ＩＦ部１０７を介して、情報受信端末２に与えられる（ＳＴ５及びＳＴ６）。
【００６１】
情報受信端末２により極性反転及びＣＡＲが検出されると、情報受信端末２から一次応答信号が通信アダプタ装置１００に与えられる（ＳＴ７）。また、情報受信端末２から一次応答信号が通信アダプタ装置１００に与えられると、この一次応答信号は、加入者ＩＦ部１０７、スイッチ部１０６及び公衆網ＩＦ部１０２を介して、一般公衆網４に送出される（ＳＴ８）。
【００６２】
一般公衆網４側で一次応答信号が受信されると、一般公衆網４側からナンバーディスプレイ情報がモデム信号として通信アダプタ装置１００に与えられる（ＳＴ９）。
【００６３】
一般公衆網からのナンバーディスプレイ情報が通信アダプタ装置１００に与えられると、ナンバーディスプレイ情報は、公衆網ＩＦ部１０２、スイッチ部１０６及び加入者ＩＦ部１０７を介して、情報受信端末２に与えられる（ＳＴ１０）。これにより、ナンバーディスプレイ情報を受信した情報受信端末２は、発信電話番号を表示することができる。
【００６４】
ナンバーディスプレイ情報が情報受信端末２に受信されると、情報受信端末２から受信完了信号が通信アダプタ装置１００に与えられる（ＳＴ１１）。また、情報受信端末２から受信完了信号が通信アダプタ装置１００に与えられると、加入者ＩＦ部１０７、スイッチ部１０６及び公衆網ＩＦ部１０２を介して、一般公衆網４に送出される（ＳＴ１２）。
【００６５】
一般公衆網４側で受信完了信号が受信されると、呼出信号が、一般公衆網４側から通信アダプタ装置１００に与えられる（ＳＴ１３）。
【００６６】
呼出信号が通信アダプタ装置１００に与えられると、呼出信号は、公衆網ＩＦ部１０２、スイッチ部１０６及び加入者ＩＦ部１０７を介して、情報受信端末２に与えられ、これにより情報受信端末２はリング鳴動する（ＳＴ１４）。
【００６７】
その後、情報受信端末２による所定の接続制御がなされ、情報受信端末２から二次応答信号が通信アダプタ装置１００に与えられると、二次応答信号は、加入者ＩＦ部１０７、スイッチ部１０６及び公衆網ＩＦ部１０２に与えられる（ＳＴ１５）。また、二次応答信号が通信アダプタ装置１００に与えられると、この二次応答信号が、公衆網ＩＦ部１０２から一般公衆網４に送出される（ＳＴ１６）。
【００６８】
そして、一般公衆網４側との極性復極し（ＳＴ１７及びＳＴ１８）、情報受信端末２と一般公衆網４との間で通話が開始する。
【００６９】
（Ａ−２−３）通話中着信処理及び情報通知処理の動作
次に、図３のＳＴ３における通話中着信及び情報通知処理の動作について図５を参照して説明する。
【００７０】
情報通知制御部１１０により極性反転及びＣＡＲが検出され、ＶｏＩＰ通話中であると判断される（ＳＴ１及びＳＴ２）。この場合、スイッチ部１０６は、ＩＰ通信網３側の経路に切り替えられている。
【００７１】
情報通知制御部１１０によりＶｏＩＰ通話中であると判断されると、情報通知制御部１１０の制御により、公衆網ＩＦ部１０２は、一般公衆網４との間の接続処理が行なわれる。
【００７２】
すなわち、情報通知制御部１１０からＣＡＲに対する一次応答信号が公衆網ＩＦ部１０２に与えられ、この一次応答信号が一般公衆網４に送出される（ＳＴ２０）。
【００７３】
一般公衆網４側で一次応答信号が受信されると、一般公衆網４側からナンバーディスプレイ情報がモデム信号として通信アダプタ装置１００に与えられる（ＳＴ９）。
【００７４】
公衆網ＩＦ部１０２によりナンバーディスプレイ情報が受信されると、モデム信号であるナンバーディスプレイ情報はモデム復調部１１２に与えられ、ナンバーディスプレイ情報は、モデム復調部１１２により復調処理がなされる（ＳＴ２１）。
【００７５】
このとき、情報通知制御部１１０は、ナンバーディスプレイ情報を復調することで、ナンバーディスプレイ情報を一旦終端し、取得したことを確認すると、公衆網ＩＦ部１０２に対して受信完了信号を一般公衆網４側に送出するように制御する（ＳＴ２２）。
【００７６】
これにより、情報通知制御部１１０は、ナンバーディスプレイ情報を一旦終端し、かつ、一般公衆網４との接続処理を適切に制御することで、受信したナンバーディスプレイ情報を確保することができる。
【００７７】
公衆網ＩＦ部１０２からの受信完了信号が一般公衆網４側で受信されると、一般公衆網４側から呼出信号が与えられる（ＳＴ１３）。
【００７８】
また、モデム復調部１１２により復調された復調信号は制御部１１１に与えられ、復調信号は、制御部１１１の制御を受けたモデム変調部１１３により、キャッチホンディスプレイ形式のナンバー情報に再度変調される（ＳＴ２３）。
【００７９】
モデム変調部１１３により変調されたナンバー情報は、制御部１１１のキャッチホンディスプレイ方式の所定通信制御により、ナンバーディスプレイ情報としてＩＰ通信網３側の経路からスイッチ部１０６及び加入者ＩＦ部１０７にリレーされて情報受信端末２に与えられる（ＳＴ２４）。これにより、情報受信端末２は、発信電話番号を表示することができる。
【００８０】
そして、情報通知制御部１１０によるＶｏＩＰ通話中の割り込み制御により、呼出信号が情報受信端末２に与えられ（ＳＴ２５）、情報受信端末２からフッキングがされることで通話が開始する（ＳＴ２６）。
【００８１】
（Ａ−３）第１の実施形態の効果
以上、第１の実施形態によれば、ＶｏＩＰ通話中に、一般公衆網４側からナンバーディスプレイ情報の着信があった場合であっても、ナンバーディスプレイ情報を一旦終端しつつ、一般公衆網４側との接続処理を適切に行なうことができる。
【００８２】
また、第１の実施形態によれば、情報通知制御部１２０を備えることで、ＶｏＩＰ通話中にナンバーディスプレイ情報が到来すると、キャッチホンディスプレイ方式の所定の通信制御を行い、到来したナンバーディスプレイ情報そのままキャッチホンディスプレイ形式のナンバー情報としてリレーすることができるので、適切な割り込み制御を行なうことができる。
【００８３】
これにより、一般公衆網４側と契約したサービスの提供を引き続き受けることができる。
【００８４】
（Ｂ）第２の実施形態
次に、本発明の通信アダプタ装置の第２の実施形態について図面を参照して説明する。
【００８５】
第２の実施形態では、ＶｏＩＰ通話中に、一般公衆網から受信したナンバーディスプレイ情報をＰＣＭ信号形式として録音し、そのＰＣＭ信号を再生したナンバーディスプレイ情報を情報受信端末に伝達する場合の適用である。
【００８６】
（Ｂ−１）第２の実施形態の構成
図６は、第２の実施形態に係る通信アダプタ装置の構成を示す機能ブロック図である。
【００８７】
図６に示すように、第２の実施形態に係る通信アダプタ装置１００は、情報通知制御部１２０、公衆網ＩＦ部１０２、ＶｏＩＰ信号処理部１０５、スイッチ部１０６、加入者ＩＦ部１０７を少なくとも備える。
【００８８】
図６において、第２の実施形態の構成が第１の実施形態の構成と異なる点は、情報通知制御部１２０の構成である。また、図１の第１の実施形態で説明した同一・対応する構成については、それぞれ対応する番号を付して示し、これら同一・対応構成についての詳細な説明は省略する。
【００８９】
情報通知制御部１２０は、図６に示すように、制御部１２１、信号レベル判定部１２２、信号録音部１２３、信号再生部１２４を有する。
【００９０】
制御部１２１は、情報通知制御部１２０の機能を制御するものである。
【００９１】
信号レベル判定部１２２は、一般公衆網４側の信号レベル変化を監視し、一般公衆網４から到来したナンバーディスプレイ情報を検出するものである。また、信号レベル判定部１２２は、信号レベルの立ち上がり変化を検出すると、信号録音部１２３に対して録音の開始を指示する録音開始指示信号を与えるものである。また、信号レベル判定部１２２は、信号レベルのたち下がり変化を検出すると、信号録音部１２３に対して録音を停止させる録音停止指示信号を与えるものである。
【００９２】
また、信号レベル判定部１２２は、信号レベル変化に基づいてナンバーディスプレイ情報を録音させる録音時間情報を信号再生部１２４に与えるものである。
【００９３】
信号録音部１２３は、信号レベル判定部１２２から録音開始指示信号を受け取ると、到来したナンバーディスプレイ情報を音声符号化して音声データ（ＰＣＭ信号）の形式で録音するものである。また、信号録音部１２３は、信号レベル判定部１２２から録音停止指示信号を受け取ると、ナンバーディスプレイ情報の音声符号化を停止し、ＰＣＭ信号としての録音を停止するものである。さらに、信号録音部１２３は、ＰＣＭ信号として録音したナンバーディスプレイ情報を信号再生部１２４に与えるものである。
【００９４】
なお、信号録音部１２３は、録音したＰＣＭ信号を共有バッファ（図示しない）等に与えて、ＰＣＭ信号を共有するようにしてもよい。
【００９５】
ここで、信号録音部１２３は、到来したナンバーディスプレイ情報を音声符号化して音声データとすることができれば、音声符号化方式は広く適用することができ、例えば、差分方式ＰＣＭ、適応差分パルス符号変調方式などを適用できる。
【００９６】
信号再生部１２４は、信号レベル判定部１２２から録音時間情報を受け取り、その録音時間情報に基づいて信号録音部１２３が音声符号化したＰＣＭ信号を再生（音声復号）して、ナンバーディスプレイ情報を再生するものである。また、信号再生部１２４は、再生したナンバーディスプレイ情報を、制御部１２１に与えるものである。
【００９７】
制御部１２１は、信号再生部１２４から再生されたナンバーディスプレイ情報を受け取り、そのナンバーディスプレイ情報をキャッチホンディスプレイ形式に変換制御を行なう。また、制御部１２１は、キャッチホンディスプレイ方式の所定の通信制御を行ない、キャッチホンディスプレイ形式に変換したナンバー情報を、ＩＰ通信網３側の経路からスイッチ部１０６を介して情報受信端末２に与えるものである。
【００９８】
（Ｂ−２）第２の実施形態の動作
次に、第２の実施形態の通信アダプタ装置１００の情報通知処理動作について図７を参照して説明する。
【００９９】
なお、第２の実施形態の通信アダプタ装置１００の全体動作及び通知前情報通知処理動作は、図３及び図４に示した動作と同様であるので、ここでの詳細な説明は省略する。
【０１００】
図７において、第２の実施形態の通信アダプタ装置１００は、第１の実施形態と同様に、一般公衆網４との極性反転及びＣＡＲを検出（ＳＴ１）し、ＶｏＩＰ通話中であるか否かを判定（ＳＴ２）する。
【０１０１】
情報通知制御部１２０によりＶｏＩＰ通話中であると判定されると、情報通知制御部１２０の制御により、公衆網ＩＦ部１０２から一次応答信号が一般公衆網４に送出され（ＳＴ２０）、一次応答信号を受信した一般公衆網４からナンバーディスプレイ情報がモデム信号として送出される（ＳＴ９）。
【０１０２】
一般公衆網４からナンバーディスプレイ情報が通信アダプタ装置１００に与えられると、信号レベル判定部１２２により、ナンバーディスプレイ情報の信号レベルの立ち上がり変化が検出されると、そのタイミングで録音開始指示信号が信号録音部１２３に与えられる（ＳＴ３０）。
【０１０３】
信号レベル判定部１２２から録音開始指示信号が信号録音部１２３に与えられると、到来したナンバーディスプレイ情報は、信号録音部１２３によりＰＣＭ信号として録音が開始される（ＳＴ３１）。
【０１０４】
また、信号レベル判定部１２２により、ナンバーディスプレイ情報が終了し信号レベルのたち下がり変化が検出されると、そのタイミングで録音停止指示信号が信号録音部１２３に与えられる（ＳＴ３０）。
【０１０５】
信号レベル判定部１２２から録音停止指示信号が信号録音部１２３に与えられると、信号録音部１２３による録音が停止される（ＳＴ３１）。
【０１０６】
これにより、到来したナンバーディスプレイ情報を音声データとして録音することで、ナンバーディスプレイ情報を確保することができる。
【０１０７】
信号録音部１２３において、ナンバーディスプレイ情報を音声データとして録音できたことが確認されると、情報通知制御部１２０の制御により、公衆網ＩＦ部１０２から受信完了信号が一般公衆網４に送出され（ＳＴ２２）、所定の規則に従って呼出信号が一般公衆網４から送出される（ＳＴ１３）。
【０１０８】
また、信号レベル判定部１２２は、信号録音部１２３に指示した録音期間を示す録音時間情報を録音再生部１２４に与える。
【０１０９】
信号再生部１２４は、信号レベル判定部１２２から録音時間情報を受け取り、その録音時間情報に基づいて信号録音部１２３が録音したＰＣＭ信号を再生して、ナンバーディスプレイ情報を再生する（ＳＴ３２）
信号再生部１２４により再生されたナンバーディスプレイ情報が制御部１２１に与えられると、再生されたナンバーディスプレイ情報は、制御部１２１により、キャッチホンディスプレイ方式のナンバー情報に変換され（ＳＴ２３）、キャッチホンディスプレイ方式の所定の通信制御により、ＩＰ通信網３側の経路からナンバーディスプレイ情報としてリレーされ、情報受信端末２に与えられる（ＳＴ２４）。
【０１１０】
これにより、ナンバーディスプレイ情報は、スイッチ部１０６を介して加入者ＩＦ部１０７に与えることができ、情報受信端末２に与え発信電話番号を表示させることができる。
【０１１１】
そして、情報通知制御部１１０によるＶｏＩＰ通話中の割り込み制御により、呼出信号が情報受信端末２に与えられ（ＳＴ２５）、情報受信端末２からフッキングがされることで通話が開始する（ＳＴ２６）。
【０１１２】
（Ｂ−３）第２の実施形態の効果
以上、第２の実施形態によれば、第１の実施形態の効果と同様の効果を奏する。
【０１１３】
また、第２の実施形態によれば、到来したナンバーディスプレイ情報を音声データとして確保するので、より少ないプログラム規模でナンバーディスプレイリレー制御を行なうことができる。
【０１１４】
（Ｃ）第３の実施形態
次に、本発明の通信アダプタ装置の第３の実施形態について図面を参照して説明する。
【０１１５】
第３の実施形態は、到来したナンバーディスプレイ情報（モデム信号）の周波数成分を判定することにより、ナンバーディスプレイ情報の録音開始及び停止を決定する場合の適用である。
【０１１６】
（Ｃ−１）第３の実施形態の構成
図８は、第３の実施形態の通信アダプタ装置１００の構成を示す機能ブロック図である。
【０１１７】
図８に示すように、第３の実施形態に係る通信アダプタ装置１００は、情報通知制御部１３０、公衆網ＩＦ部１０２、ＶｏＩＰ信号処理部１０５、スイッチ部１０６、加入者ＩＦ部１０７を少なくとも備える。
【０１１８】
図８において、第３の実施形態の構成が第１の実施形態の構成と異なる点は、情報通知制御部１３０の構成である。また、図１の第１の実施形態で説明した同一・対応する構成については、それぞれ対応する番号を付して示し、これら同一・対応構成についての詳細な説明は省略する。
【０１１９】
情報通知制御部１３０は、図８に示すように、制御部１３１、フィルタ部１３２、信号周波数判定部１３３、信号録音部１３４、信号再生部１３５を有する。
【０１２０】
上述したように、本実施形態のナンバーディスプレイ情報は、ＩＴＵ−Ｔ勧告のＶ．２３に準拠するモデム信号であり、この場合、モデム信号の線路周波数は、マークビットが１３００Ｈｚで、スペースビットが２１００Ｈｚで送出される（非特許文献１参照）。そこで、本実施形態では、モデム信号の周波数成分を判定することで、録音するナンバーディスプレイ情報の録音期間の開始及び停止を決定する。
【０１２１】
制御部１３１は、情報通知性呼ぶ１３０の機能を制御するものである。
【０１２２】
フィルタ部１３２は、受信信号の信号周波数をフィルタリング処理するものである。フィルタ部１３２は、例えば、マークビットを示す周波数成分（１３００Ｈｚ）を通過させるフィルタを適用できる。
【０１２３】
信号周波数判定部１３３は、フィルタ部１３２によりフィルタリング処理された信号周波数成分を受け取り、その周波数成分の変化を判断することにより録音開始指示信号及び録音停止指示信号を信号録音部１３４に与えるものである。
【０１２４】
例えば、信号周波数判定部１３３は、フィルタ部１３２から通過してきた周波数成分（１３００Ｈｚ）を検出すると、ナンバーディスプレイ情報の到来を検知し、録音開始信号を信号録音部１３４に与え、フィルタ部１３２からの周波数成分の検出ができなくなると、ナンバーディスプレイ情報の終了を検知し、録音停止指示信号を信号録音部１３４に与えるようにする。
【０１２５】
また、信号周波数判定部１３３は、フィルタリング処理された信号周波数成分の変化に基づいて求めた録音期間情報を信号再生部１３５に与えるものである。
【０１２６】
信号録音部１３４は、信号周波数判定部１３３からの録音開始指示信号及び録音停止指示信号に基づいて、到来したナンバーディスプレイ情報をＰＣＭ信号の形で録音するものである。また、信号録音部１３４は、録音したＰＣＭ信号を信号再生部１３５に与えるものである。
【０１２７】
信号再生部１３５は、信号周波数判定部１３３からの録音時間情報を受け取り、その録音時間に基づいて、信号録音部１３４から受け取ったＰＣＭ信号を再生し、ナンバーディスプレイ情報を再生させるものである。
【０１２８】
制御部１３１は、信号再生部１３４から再生されたナンバーディスプレイ情報を受け取り、そのナンバーディスプレイ情報をキャッチホンディスプレイ形式に変換制御を行なう。また、制御部１３１は、キャッチホンディスプレイ方式の所定の通信制御を行ない、キャッチホンディスプレイ形式に変換したナンバー情報を、ＩＰ通信網３側の経路からスイッチ部１０６を介して情報受信端末２に与えるものである。
【０１２９】
（Ｃ−２）第３の実施形態の動作
次に、第３の実施形態の通信アダプタ装置１００の情報通知処理動作について図９を参照して説明する。
【０１３０】
なお、第３の実施形態の通信アダプタ装置１００の全体動作及び通知前情報通知処理動作は、図３及び図４に示した動作と同様であるので、ここでの詳細な説明は省略する。また、図７で既に説明した第２の実施形態の通信アダプタ装置の動作と対応する処理動作の詳細についても省略する。
【０１３１】
図９において、第３の実施形態の通信アダプタ装置１００は、第１の実施形態と同様に、極性反転及びＣＡＲを検出（ＳＴ１）、ＶｏＩＰ通話中であるか否かの判定（ＳＴ２）、及び、ＶｏＩＰ通話中である場合の一次応答信号の送出制御（ＳＴ９）を行なう。
【０１３２】
一般公衆網４からナンバーディスプレイ情報が与えられると（ＳＴ９）、ナンバーディスプレイ情報は、フィルタ部１３２により所定の周波数成分（例えば１３００Ｈｚ）についてフィルタリング処理がなされ、信号周波数判定部１３３に与えられる。受信信号周波数成分をフィルタリング処理することで、モデム信号のナンバーディスプレイ情報の到来タイミングを検知させることができる。
【０１３３】
フィルタ部１３２によりフィルタリング処理がなされた信号周波数成分は信号周波数判定部１３３に与えられる。
【０１３４】
信号周波数判定部１３３は、常時フィルタ部１３２から与えられる信号周波数成分を監視しており、フィルタ部１３２を通過してきた信号周波数成分を検出することで、ナンバーディスプレイ情報の到来と判定する。そして、信号周波数判定部１３３によりナンバーディスプレイ情報の到来が判定されると、録音開始信号が、信号周波数判定部１３３から信号録音部１３４に与えられる。
【０１３５】
また、信号周波数判定部１３３は、フィルタ部１３２からの信号周波数成分が所定期間与えられないことを判断することで、ナンバーディスプレイ情報の終了を判定する。そして、信号周波数判定部１３３によりナンバーディスプレイ情報の終了が判定されると、録音停止信号が、信号周波数判定部１３３から信号録音部１３４に与えられる（ＳＴ４０）。
【０１３６】
例えば、ＩＴＵ−Ｔ勧告Ｖ．２３のモデム信号のマークビットは１３００Ｈｚであるから、ナンバーディスプレイ情報の到来を検出するために、フィルタ部１３２が周波数１３００Ｈｚの周波数成分を通過させるようにする。そして、信号周波数判定部１３３は、フィルタ部１３２を通過してきた周波数成分を検出することでナンバーディスプレイ情報のマークビット部を判定できので、ナンバーディスプレイ情報の到来を判定できる。また、信号周波数判定部１３３は、ナンバーディスプレイ情報のチェックビットであるＣＲＣの期間、連続して周波数成分を検出できなかったときに、ナンバーディスプレイ情報の終了を判定できる。
【０１３７】
信号周波数判定部１３３から録音開始信号及び録音停止信号が信号録音部１３４に与えられると、第２の実施形態と同様に、録音開始信号及び録音停止信号に基づいて、ナンバーディスプレイ情報は信号録音部１３４により録音される（ＳＴ３１）。これにより、到来したナンバーディスプレイ情報をＰＣＭ信号の形で確保することができる。
【０１３８】
信号録音部１２３において、ナンバーディスプレイ情報を音声データとして録音できたことが確認されると、情報通知制御部１２０の制御により、公衆網ＩＦ部１０２から受信完了信号が一般公衆網４に送出され（ＳＴ２２）、所定の規則に従って呼出信号が一般公衆網４から送出される（ＳＴ１３）。これにより、一般公衆網４との接続処理を適切に行なうことができる。
【０１３９】
また、信号レベル判定部１２２は、信号録音部１２３に指示した録音期間を示す録音時間情報を録音再生部１２４に与える。
【０１４０】
信号再生部１２４は、信号レベル判定部１２２から録音時間情報を受け取り、その録音時間情報に基づいて信号録音部１２３が録音したＰＣＭ信号を再生して、ナンバーディスプレイ情報を再生する。（ＳＴ３２）。
【０１４１】
以下の処理動作は、第１及び第２の実施形態と同様に、再生されたナンバーディスプレイ情報は、ＩＰ通信網３側の経路を経由して情報受信端末２に与えられ、所定の制御処理により通話が開始する（ＳＴ２４〜ＳＴ２７）。
【０１４２】
（Ｃ−３）第３の実施形態の効果
以上、第３の実施形態によれば、第１及び第２の実施形態の効果と同様の効果を奏する。
【０１４３】
また、第３の実施形態によれば、モデム信号の周波数成分を信号の有無の判定材料に使用することで、より正確な信号のリレーが可能になる。
【０１４４】
（Ｄ）第４の実施形態
次に、本発明の通信アダプタ装置の第４の実施形態について図面を参照して説明する。
【０１４５】
第４の実施形態は、到来したナンバーディスプレイ情報（モデム信号）に対する復調処理の立ち上がり及び立ち下がりに基づいて、ナンバーディスプレイ情報の録音開始及び停止を決定する場合の適用である。
【０１４６】
（Ｄ−１）第４の実施形態の構成
図１０は、第４の実施形態の通信アダプタ装置１００の構成を示す機能ブロック図である。
【０１４７】
図１０に示すように、第４の実施形態に係る通信アダプタ装置１００は、情報通知制御部１４０、公衆網ＩＦ部１０２、ＶｏＩＰ信号処理部１０５、スイッチ部１０６、加入者ＩＦ部１０７を少なくとも備える。
【０１４８】
図１０において、第４の実施形態の構成が第１の実施形態の構成と異なる点は、情報通知制御部１４０の構成であり、図１の第１の実施形態で説明した同一・対応する構成については、それぞれ対応する番号を付して示す。
【０１４９】
情報通知制御部１４０は、図１０に示すように、制御部１４１、モデム復調部１４２、信号録音部１４３、信号再生部１４４を有する。
【０１５０】
制御部１４１は、情報通知制御部１４０の機能を制御するものである。
【０１５１】
モデム復調部１４２は、到来したナンバーディスプレイ情報を録音する開始タイミングと停止タイミングとを決定するものであり、到来したナンバーディスプレイ情報の復調処理を開始するタイミングで、録音開始指示信号を信号録音部１４３に与え、またナンバーディスプレイ情報の復調処理を終了するタイミングで、録音停止指示信号を信号録音部１４３に与えるものである。また、モデム復調部１４２は、ナンバーディスプレイ情報に対する復調処理に係る時間に基づいて、録音時間情報を信号再生部１４４に与えるものである。
【０１５２】
本実施形態では、モデム復調部１４２のモデム信号復調機能を、ナンバーディスプレイ情報の録音タイミング情報としてのみ使用することで、モデム復調部１４２の復調性能の影響を受けずにナンバーディスプレイ情報の伝達を行なうことができる。
【０１５３】
信号録音部１４３は、モデム復調部１４２から録音開始指示信号を受け取ると、受信したナンバーディスプレイ情報をＰＣＭ信号として録音するものである。また、信号録音部１４３は、モデム復調部１４２から録音停止指示信号を受け取ると、ナンバーディスプレイ情報のＰＣＭ信号としての録音を停止するものである。さらに、信号録音部１４３は、ＰＣＭ信号として録音したナンバーディスプレイ情報を信号再生部１４４に与えるものである。
【０１５４】
信号再生部１４４は、モデム復調部１４２から録音時間情報を受け取り、その録音時間情報に基づいて信号録音部１４３が録音したＰＣＭ信号を再生して、ナンバーディスプレイ情報を再生するものである。
【０１５５】
制御部１４１は、信号再生部１４４から再生されたナンバーディスプレイ情報を受け取り、そのナンバーディスプレイ情報をキャッチホンディスプレイ形式に変換制御を行なう。また、制御部１４１は、キャッチホンディスプレイ方式の所定の通信制御を行ない、キャッチホンディスプレイ形式に変換したナンバー情報を、ＩＰ通信網３側の経路からスイッチ部１０６を介して情報受信端末２に与えるものである。
【０１５６】
（Ｄ−２）第４の実施形態の動作
次に、第４の実施形態の通信アダプタ装置１００の情報通知処理動作について図１１を参照して説明する。
【０１５７】
なお、第４の実施形態の通信アダプタ装置１００の全体動作及び通知前情報通知処理動作は、図３及び図４に示した動作と同様であるので、ここでの詳細な説明は省略する。また、図７で既に説明した第２の実施形態の通信アダプタ装置の動作と対応する処理動作の詳細についても省略する。
【０１５８】
図１１において、第４の実施形態の通信アダプタ装置１００は、第１の実施形態と同様に、極性反転及びＣＡＲを検出（ＳＴ１）、ＶｏＩＰ通話中であるか否かの判定（ＳＴ２）、及び、ＶｏＩＰ通話中である場合の一次応答信号の送出制御（ＳＴ９）を行なう。
【０１５９】
一般公衆網４からナンバーディスプレイ情報が与えられると（ＳＴ９）、モデム信号であるナンバーディスプレイ情報は、モデム復調部１４２により、復調処理が行なわれる（ＳＴ５０）。
【０１６０】
ＳＴ５０におけるモデム復調部１４２では、モデム信号であるナンバーディスプレイ情報に対して復調処理を開始するタイミングで、録音開始指示信号が信号録音部１４３に与えられる。
【０１６１】
録音信号指示信号が信号録音部１４３に与えられると、ナンバーディスプレイ情報は、信号録音部１４３によりＰＣＭ信号として録音が開始される（ＳＴ３１）。
【０１６２】
また、ＳＴ５０におけるモデム復調部１４２で、ナンバーディスプレイ情報に対する復調処理が終了すると、そのタイミングで録音停止信号が信号録音部１４３に与えられる。
【０１６３】
録音停止指示信号が信号録音部１４３に与えられると、信号録音部１４３によるナンバーディスプレイ情報の録音が停止される（ＳＴ３１）。
【０１６４】
このように、ナンバーディスプレイ情報をＰＣＭ信号として録音することで、受信したナンバーディスプレイ情報を確保することができる。
【０１６５】
信号録音部１４３によりＰＣＭ信号としてナンバーディスプレイ情報が録音され確保すると、情報通知制御部１４０の制御により、公衆網ＩＦ部１０２から受信完了信号が一般公衆網４に送出され（ＳＴ２２）、所定の規則に従って呼出信号が一般公衆網４から送出される（ＳＴ１３）。
【０１６６】
また、モデム復調部１４２によるナンバーディスプレイ情報の復調処理時間に基づく録音時間情報が信号再生部１４４に与えられ、信号再生部１４４により、その録音時間情報に基づくＰＣＭ信号が再生され、ナンバーディスプレイ情報が再生される（ＳＴ３２）。
【０１６７】
以下の処理動作は、第１及び第２の実施形態と同様に、再生されたナンバーディスプレイ情報は、ＩＰ通信網３側の経路を経由して情報受信端末２に与えられ、所定の制御処理により通話が開始する（ＳＴ２４〜ＳＴ２７）。
【０１６８】
（Ｄ−３）第４の実施形態の効果
以上、第４の実施形態によれば、第１及び第２の実施形態と同様の効果を奏する。
【０１６９】
また、第４の実施形態によれば、モデム復調部１４２による復調処理に基づく信号検出結果を使用して録音期間を判断することで、より正確なタイミングでの信号のリレーが可能になる。
【０１７０】
（Ｅ）他の実施形態
上述した第１〜第４の実施形態では、ＶｏＩＰ通話中に到来したナンバーディスプレイ情報をそのままキャッチホンディスプレイの通信制御方式に従ってリレーする場合について説明したが、適切に割り込み制御が可能であれば、これに限定されない。
【０１７１】
例えば、情報通知制御部において、一旦終端したナンバーディスプレイ情報に基づいて、発信者番号に対応するＩＰ通信網３側で利用されるＩＰ情報（例えば、ＩＰ番号等）に変換し、そのＩＰ情報をＩＰ通信網３側から情報受信端末２に与えるようにしてもよい。この場合、例えば、情報通知制御部が、ＶｏＩＰ通信処理部１０５に対して、発信者番号に対応するＩＰ情報を取得制御するようにしてもよい。
【図面の簡単な説明】
【０１７２】
【図１】第１の実施形態の通信アダプタ装置の構成を示す機能ブロック図である。
【図２】従来の通信アダプタ装置の構成を示す機能ブロック図である。
【図３】第１の実施形態の通信アダプタ装置の全体動作を示すフローチャートである。
【図４】第１の実施形態の通信アダプタ装置の通話前情報通知処理の動作を示すシーケンス図である。
【図５】第１の実施形態の通信アダプタ装置の通話中着信処理及び情報通知処理の動作を示すシーケンス図である。
【図６】第２の実施形態の通信アダプタ装置の構成を示す機能ブロック図である。
【図７】第２の実施形態の通信アダプタ装置の通話中着信処理及び情報通知処理の動作を示すシーケンス図である。
【図８】第３の実施形態の通信アダプタ装置の構成を示す機能ブロック図である。
【図９】第３の実施形態の通信アダプタ装置の通話中着信処理及び情報通知処理の動作を示すシーケンス図である。
【図１０】第４の実施形態の通信アダプタ装置の構成を示す機能ブロック図である。
【図１１】第４の実施形態の通信アダプタ装置の通話中着信処理及び情報通知処理の動作を示すシーケンス図である。
【符号の説明】
【０１７３】
１００…通信アダプタ装置、１０２…公衆網ＩＦ部、
１０５…ＶｏＩＰ信号処理部、１０６…スイッチ部、１０７…加入者ＩＦ部、
１１０〜１４０…情報通知制御部。
【図１】
2005268939.tif 000003
【図２】
2005268939.tif 000004
【図３】
2005268939.tif 000005
【図４】
2005268939.tif 000006
【図５】
2005268939.tif 000007
【図６】
2005268939.tif 000008
【図７】
2005268939.tif 000009
【図８】
2005268939.tif 000010
【図９】
2005268939.tif 000011
【図１０】
2005268939.tif 000012
【図１１】
2005268939.tif 000013